Podtech/llm-jp-corpus-v4-ja_patent huggingface dataset:
(57)【要約】【課題】鞄への収納や持ち運びに便利で、ゴムキャップ付の釣竿とギンバル付の釣竿を使用する時にギンバル用ボルトを脱着する手間を省き、また、釣り用ハーネスの脱着を容易にする釣り用ハーネスを提供する。【解決手段】上記目的を達成するために、本考案における釣り用ハーネスはプレート部に持ち手用の穴Ｆを有し、ソーサー部Ｅはプレート部ＡにネジＣで固定されているので、取り外しが可能である。ソーサー部Ｅはゴムキャップを受ける窪みＢと、ギンバルを受けるボルトＤを別々に設け形成されている。ベルト部は２箇所に脱着用のバックルを有する。【選択図】　図１
0003099198.tif 000002
【実用新案登録請求の範囲】
【請求項１】
プレート本体に持ち手の穴を有する釣り用ハーネス
【請求項２】
ソーサー部をプレート部にネジで固定している釣り用ハーネス
【請求項３】
ソーサー部は釣竿最後方部のゴムキャップ用の窪みと、ギンバル用のボルトを有する請求項２の釣り用ハーネス
【請求項４】
ベルトに２箇所の脱着用バックルを有する請求項２の釣り用ハーネス
【考案の詳細な説明】
【０００１】
【考案の属する技術分野】
本考案は釣り人が魚を釣り上げる時や、ルアーで魚を誘う時にポンピングなどする時に、釣竿の最後部を本考案の釣り用ハーネスにはめることで、釣り人の体を守り、疲労を軽減させ又、釣竿を楽に操れようにする釣具に係るものである。
【０００２】
【従来の技術】
従来の釣り用ハーネスは、図６に示すように持ち手を有していないため持ち運びの際には、ベルト部を持つかプレート部を持って移動している。
ソーサー部は、プレート部と一体になっている。また、ソーサー部は、ゴムキャップを受ける窪みの上にギンバルを受けるボルトを有している。ベルト部は、釣り用ハーネスのベルトの脱着用バックルを１つ有す。
【０００３】
【考案が解決しようとする課題】
釣り用ハーネスを持ち運びする時や遠征などで鞄に入れる時にはソーサー部の出っ張りが、鞄のスペースを減らす問題を有していた。
【０００４】
釣り人は、ゴムキャップ付の釣竿を使用する時とギンバル付の釣竿を使用する時があるが、従来のものはボルトを取り外ししてそれに対応しており、面倒であってボルトを紛失する虞がある問題点を有していた。
【０００５】
釣り人は、大物の魚を狙う際に腰にサポーターを装着することが多い。そのサポーターにはベルト通しが装備されているので、釣り用ハーネスを通すことが出来る。そうした場合、釣り用ハーネスのベルト部のバックルが１つだと取り外す時にベルトをサポーターから全て取り外さなくてはならない。釣りの合間の休憩時間などの時、釣り用ハーネスは邪魔になるので、付けたり外したりするのが大変面倒である問題点を有していた。
【０００６】
本考案は、従来の技術の有するこの様な問題点に鑑みてなされたものであり、その目的とするところは、鞄への収納や持ち運びに便利で、釣り人に手間を要さないようする釣り用ハーネスを提供しようとするものである。
【０００７】
【課題を解決するための手段】
上記目的を達成するために、本考案における釣り用ハーネスは、プレート部に持ち手用の穴を有し、ソーサー部はプレート部にネジで固定されているものである。
【０００８】
ソーサー部はゴムキャップを受ける部分と、ギンバルを受ける部分を別々に設け形成されているものである。
【０００９】
ベルト部は２箇所に脱着用のバックルを有するものである。
【００１０】
【考案の実施の形態】
プレート部Ｆに手で握りやすい大きさの、持ち手用の穴を開ける。
【００１１】
ソーサー部はゴムキャップもギンバルもどちらの使用時にも、邪魔にならない位置にネジ用の穴を設け、ネジＣを付けられるようにする。また、ギンバルを受けるボルトＤと、ゴムキャップを受ける窪みＢの距離を離して設置した。
【００１２】
プレート部の上の左右にベルト用の穴Ｋを２箇所設け、バックルの雌側Ｇを２つ設置する。ベルトの雄側Ｈもそれに合わせて設置する。
【００１３】
また、
【００１２】に記載のベルトのバックル部は雄と雌がプレート部とベルト部のどちらにきてもよい。
【考案の効果】
本考案の釣り用ハーネスはＦ部に持ち手がついているため、バランス良く持ち運びが出来て大変便利である。
また、ソーサー部Ｅが取り外し可能であるので、遠征時、鞄に収納する時にプレート部Ａとソーサー部Ｅを分けることが出来るので、空いたスペースにソーサー部Ｅを収納することが出来るので従来、ソーサー部がとってしまう無駄なスペースを減らすことが出来る。
釣り人は、ゴムキャップ付の釣竿を使用する時とギンバル付の釣竿を使用する時に、
【００１１】に前述したように、ゴムキャップの受け用窪みＢとギンバル受けボルトＤを離れて設置しているので従来品のようにギンバル受け用のボルトＤを取り外さなくてもよいので、面倒な手間も省くことが出来、無駄な時間を要すことがない。また、ボルトＤを紛失する虞がない。
釣り人は、
【０００５】で述べたように、腰にサポーターを装着することが多く、そのサポーターにはベルト通しが装備されているので、釣り用ハーネスのベルト部Ｉを通すことが出来る。本考案の釣り用ハーネスは、ベルト部のバックルが２つ装備されているので、２つのバックルを取り外せば、プレート部と雌側のバックル部Ｇまで取り外すことができ、残りの雄側のバックル部ＨとベルトＩは、サポーターに付けたままで良い。装着する時も２つの雄雌のバックルをはめるだけで手間がない。
【図面の簡単な説明】
【図１】本考案の釣り用ハーネスの正面図である。
【図２】本考案の釣り用ハーネスの背面図である。
【図３】本考案の釣り用ハーネスの右側面図である。
【図４】本考案の釣り用ハーネスの平面図である。
【図５】本考案の釣り用ハーネスのベルト部のバックルの雌雄を外した正面
図である。
【図６】従来品の釣り用ハーネスの正面図である。
【図７】従来品の釣り用ハーネスの右側面図である。
【符号の説明】Ａ　本考案の釣り用ハーネスのプレート部
Ｂ　本考案の釣り用ハーネスのソーサー部のゴムキャップ受け
Ｃ　本考案の釣り用ハーネスのソーサー部のネジ
Ｄ　本考案の釣り用ハーネスのソーサー部のギンバル受けボルト
Ｅ　本考案の釣り用ハーネスのソーサー部
Ｆ　本考案の釣り用ハーネスの持ち手用の穴
Ｇ　本考案の釣り用ハーネスのバックルの雌部
Ｈ　本考案の釣り用ハーネスのバックルの雄部
Ｉ　本考案の釣り用ハーネスのベルト
Ｊ　本考案の釣り用ハーネスのベルト調節金具
Ｋ　本考案の釣り用ハーネスのプレート部のベルト通し穴
Ｌ　本考案の釣り用ハーネスの衝撃緩和のための保護あて
Ｍ　従来品の釣り用ハーネスのプレート部のベルト通し穴
Ｎ　従来品の釣り用ハーネスのベルト
Ｏ　従来品の釣り用ハーネスのベルト調節金具
Ｐ　従来品の釣り用ハーネスのバックルの雄部
Ｑ　従来品の釣り用ハーネスのバックルの雌部
Ｒ　従来品の釣り用ハーネスのソーサー部のギンバル受けボルト
Ｓ　従来品の釣り用ハーネスのプレート部
Ｔ　従来品の釣り用ハーネスの衝撃緩和のための保護あて
【図１】
0003099198.tif 000003
【図２】
0003099198.tif 000004
【図３】
0003099198.tif 000005
【図４】
0003099198.tif 000006
【図５】
0003099198.tif 000007
【図６】
0003099198.tif 000008
【図７】
0003099198.tif 000009
(57)【要約】【目的】おからを内部に使い、更にその皮の部分に豆乳を用いることによって、より健康的なおまんじゅうを創出する。【構成】おから２やひじき３、人参４、筍５、ごぼう６、椎茸７等を、味噌、ゴマ油、だし汁、醤油で味付けし、群馬産薄力粉や水、豆乳、てんさい糖を混ぜ合わせた皮１で包み込み、蒸したものを食用油で揚げたおまんじゅう【選択図】　　図２
0003099194.tif 000002
【実用新案登録請求の範囲】
【請求項１】
おから２、ひじき３、人参４、筍５、ごぼう６、椎茸７等を、味噌、ゴマ油、だし汁、醤油で味付けし、群馬産薄力粉、水、豆乳、てんさい糖を混ぜた皮１で包みこみ、蒸したものを食用油で揚げたおまんじゅう
【考案の詳細な説明】
【０００１】
【考案が解決しようとする課題】
従来のおまんじゅうは、皮の部分に水や酒を使用していたが、これでは、更に一歩踏み込んだ形で健康的、ヘルシーな成分とは言い難かった。
又、近年に於いて、おからはそのもの自体栄養価が非常に高いにも拘らず、その利用度が激減し、家庭でも昔ほどは食さなくなってしまっていた。その為おからは、現在では産業廃棄物になってしまっている。
【０００２】
【課題を解決する為の手段】
上記目的を達成する為に、おまんじゅうの皮の部分には更に豆乳を加え、又、内部の部分にはおからを使用した。
【０００３】
【考案の効果】
おまんじゅうの皮の部分に更に豆乳を加え、且つ内部にはおからを使用することにより、同じ大豆製品である為に相性も良く、大変健康的なヘルシー食品に仕上がっている。
又、産業廃棄物となってその処理が問題視されているおからを食材に使用することにより、環境にもやさしい食品として仕上がっている。
【図面の簡単な説明】
【図１】おまんじゅうの斜視図である。
【図２】おまんじゅうの断面図である。
【符号の説明】
１　　　おまんじゅうの皮
２　　　おから
３　　　ひじき
４　　　人参
５　　　筍
６　　　ごぼう
７　　　椎茸
【図１】
0003099194.tif 000003
【図２】
0003099194.tif 000004
(57)【要約】　　　（修正有）【課題】　多用途ハンドルの提供。【解決手段】　一体成形されてやや湾曲するハンドル本体１の片側開口の溝１１に買物袋或いはプラスチックバッグのハンドルを掛けることができ、消費者が袋を携帯するのに便利で、ハンドルが手指を締めつけることによる痛みや不快感を感じさせず、女性や子供が買物袋で重い物を携帯するのに便利である。且つフック孔１３を利用してショルダーバンドのフックを係止し、買物袋を肩に掛けることができる。【選択図】　　　　図１
0003099574.tif 000002
【実用新案登録請求の範囲】
【請求項１】
　多用途ハンドルにおいて、該多用途ハンドルがハンドル本体を具え、該ハンドル本体に上端が開口とされた溝が設けられ、中間両側に一組以上の応力孔が設けられ、溝に買物袋のハンドルが掛けられて買物袋の携帯に供されることを特徴とする、多用途ハンドル。
【請求項２】
　請求項１記載の多用途ハンドルにおいて、ハンドル本体背面両端にフック孔が設けられ、該フック孔がショルダーバンド両端のフックを係止してショルダーバンドで買物袋を肩に掛けるのに供されることを特徴とする、多用途ハンドル。
【請求項３】
　請求項１記載の多用途ハンドルにおいて、ハンドル本体が僅かに湾曲することを特徴とする、多用途ハンドル。
【請求項４】
　請求項１記載の多用途ハンドルにおいて、応力孔がスピーカ状を呈する開孔であることを特徴とする、多用途ハンドル。
【請求項５】
　請求項１記載の多用途ハンドルにおいて、ハンドル本体が一体成形されたことを特徴とする、多用途ハンドル。
【考案の詳細な説明】
【技術分野】
【０００１】
　本考案は多用途ハンドルに係り、特に、買い物袋のハンドルを掛けることができ、重い物を携帯しても手指を締めつけて疼痛や不快感を感じさせることがなく、また、ショルダーバンドを係止して買物袋を消費者の肩に掛けられるようにすることもできる多用途ハンドルに関する。
【背景技術】
【０００２】
　一般に目にする買物袋或いはプラスチックバッグは、日常生活中の必需品であり、買物に出かける時は、誰もが買物袋を手に下げて歩いたり或いは車を待ったりする。買物袋の使用方式は習慣になっているため、その不適当な部分には気づきにくいが、実際には、買物袋内の物品が重過ぎる時、ハンドルが手指を締めつけて痛みや不快感を与える。特に、婦女や子供の手指は繊細であり重過ぎる物品を携帯するのはつらいことである。また一般に買物袋は肩掛け式の携帯は不能である。
【考案の開示】
【考案が解決しようとする課題】
【０００３】
　本考案の主要な目的は一種の多用途ハンドルを提供することにあり、それは、携帯に便利で且つ使用に便利であり、平時に外出時に衣服のポケットに入れることができ、買物の後で買物袋或いはプラスチックバッグを手に提げるときに買物袋或いはプラスチックバッグのハンドル部分を掛けることができ、手指で携帯するのに便利であり、快適であり、手指を買物袋或いはプラスチックバッグのハンドルで締めつけることによる痛みと不快感を防止することができるものとする。
【０００４】
　本考案のもう一つの目的は一種の多用途ハンドルを提供することにあり、それは、長いショルダーバンドを係止でき、買物袋を肩に掛けられるようにし、手指で重い買物袋を提げたり、或いは両手が塞がれているときに、本考案を利用して買物袋を肩に掛けて楽に運べるようにするものとする。
【課題を解決するための手段】
【０００５】
　請求項１の考案は、多用途ハンドルにおいて、該多用途ハンドルがハンドル本体を具え、該ハンドル本体に上端が開口とされた溝が設けられ、中間両側に一組以上の応力孔が設けられ、溝に買物袋のハンドルが掛けられて買物袋の携帯に供されることを特徴とする、多用途ハンドルとしている。
　請求項２の考案は、請求項１記載の多用途ハンドルにおいて、ハンドル本体背面両端にフック孔が設けられ、該フック孔がショルダーバンド両端のフックを係止してショルダーバンドで買物袋を肩に掛けるのに供されることを特徴とする、多用途ハンドルとしている。
　請求項３の考案は、請求項１記載の多用途ハンドルにおいて、ハンドル本体が僅かに湾曲することを特徴とする、多用途ハンドルとしている。
　請求項４の考案は、請求項１記載の多用途ハンドルにおいて、応力孔がスピーカ状を呈する開孔であることを特徴とする、多用途ハンドルとしている。
　請求項５の考案は、請求項１記載の多用途ハンドルにおいて、ハンドル本体が一体成形されたことを特徴とする、多用途ハンドルとしている。
【考案の効果】
【０００６】
　本考案の多用途ハンドル、身につけて携帯でき且つ使用に便利な日常用品であり、外出して買物する時に取り出して買物袋を掛ければ、楽に買物袋を手に提げることができ、手指の繊細な婦女或いは子供に特に適合する。また、ショルダーバンドを係止して買物袋を肩に掛けるのに利用でき、その実用機能は明らかであり、コンパクトな携帯型の製品であり、その構造はこれまでになく、その機能は顕著で実用性に優れている。
【考案を実施するための最良の形態】
【０００７】
　本考案のハンドル本体１は一体成形された硬質構造とされ、該ハンドル本体１内に片側が開口とされたＵ形の溝１１が設けられ、ハンドル本体１の中間両側に一組以上の応力孔１２が設けられ、該応力孔１２の開孔はスピーカ状の円孔とされて、ハンドル本体１受力時のエネルギーを釈放し、ハンドル本体１の断裂を防止する。図２に示されるように、該ハンドル本体１に買物袋１００のハンドル１０１を掛けて、消費者が買物袋１００を携帯する時、買物袋１００のハンドル１０１により手指を締めつけて痛みや不快感を感じることがない。該買物袋１００はプラスチックバッグ或いは紙袋或いはその他の材質の袋とされ、買物の時に商店より提供され、それには携帯用のハンドル１０１が設けられている。
【０００８】
　また、図３及び図４に示されるように、本考案のハンドル本体１の背面両端にはフック孔１３が設けられ、該フック孔１３がショルダーバンド２００二端のフック２０１の係止に供され、消費者がショルダーバンド２００を利用して買物袋１００を肩に掛けるのに使用される。
　さらに、本考案のハンドル本体１は設計上、僅かに湾曲する円弧面を呈し、消費者が手指で握持する時に握りやすく、ハンドル本体１の各縁が円弧形とされているため、手指を傷つけずまた買物袋１００を傷つけることがない。
【図面の簡単な説明】
【０００９】
【図１】本考案の斜視図である。
【図２】本考案の買物袋を掛けた実施例図である。
【図３】本考案に係止されたショルダーバンドを利用し買物袋を使用者の肩に掛けた実施例図である。
【図４】本考案の実施例の部分構造斜視図である。
【符号の説明】
【００１０】
１　ハンドル本体　　　１１　溝　　　　１２　応力孔
１３　フック孔　　　　１００　買物袋　１０１　ハンドル
２００　ショルダーバンド　　　２０１　フック
【図１】
0003099574.tif 000003
【図２】
0003099574.tif 000004
【図３】
0003099574.tif 000005
【図４】
0003099574.tif 000006
(57)【要約】
【課題】　本考案は、物書きや描画に用いることができる携帯用ライティングボードを提供する。
【解決手段】　本考案の携帯用ライティングボード１は、ボード本体２の一辺にベルト５の輪を通し掛けにし、この輪はベルト５の一端をボード本体２の対向する辺に着脱自在に取り付け可能に構成され、かつ前記輪付きのベルト５の長さを調節するための調節具７が設けられている。また、ボード本体２に設けた穴に通されたリング９と、ベルト５の一端に取り付けられ、リング９に着脱自在に取り付けられるクリップ６とを設けたものである。
【選択図】　図１
0003099542.tif 000002
【実用新案登録請求の範囲】
【請求項１】
本体の一辺にベルトの輪を通し掛けにし、このベルトの一端を本体の対向する他方の辺に着脱自在に取り付けたことを特徴とする携帯用ライティングボード。
【請求項２】
前記ベルトの長さを調節するための調節具を設けたことを特徴とする請求項１に記載の携帯用ライティングボード。
【請求項３】
前記本体に設けた穴に通されたリングと、前記ベルトの一端に取り付けられ、前記リングに着脱自在に取り付けられるクリップとを設けたことを特徴とする請求項１に記載の携帯用ライティングボード。
【考案の詳細な説明】
【技術分野】
【０００１】
　本考案は、書き物や描画に用いることができる携帯用ライティングボードに関する。
【背景技術】
【０００２】
　従来より、画板本体に設けた穴にヒモを通して首にかけて固定するものが知られている。このような画板は、例えば以下の特許文献１，２に記載されている。
【特許文献１】実開平３−１１２３９６号公報
【特許文献２】実開昭６３−７５９３号公報
【考案の開示】
【考案が解決しようとする課題】
【０００３】
　しかしながら上述した従来技術では、ヒモの収納、または着脱が自由にできないため、不便さがあった。
【課題を解決するための手段】
【０００４】
　そこで、本考案の携帯用ライティングボードは、本体の一辺にベルトの輪を通し掛けにし、このベルトの一端を本体の他方の辺に着脱自在に取り付けられることを特徴とするものである。
【０００５】
　また、前記ベルトの長さを調節するための調節具を設けたことを特徴とするものである。
【０００６】
　さらに、前記本体に設けた穴に通されたリングと、前記ベルトの一端に取り付けられ、前記リングに着脱自在に取り付けられるクリップとを設けたことを特徴とするものである。
【考案の効果】
【０００７】
　本考案の携帯用ライティングボードによれば、持ち運びが便利であるということだけでなく、ボード本体に設けた穴にヒモを通して首にかけて固定する従来方式のものに比べて、ベルトの収納、着脱がワンタッチでできるようになり、きわめて使い勝手が良い。
【０００８】
　また、従来方式のものは、本体の斜め角に設けた２箇所の穴にヒモを通すものが一般的であるが、これでは右利きの人用にヒモをかけると、左利きの人ではヒモが手に当たって邪魔になり、右利き用と左利き用でヒモのかけ方を変えなければならないという煩わしさがあったが、本考案によればそのような不具合はなく、右利き用と左利き用に共用することができる。
【０００９】
　さらに、本考案によれば、ベルトを首にかけてボード本体の角度調整が自由にでき、しかも両手を離しても安定度が良いので、従来のように片手で本体を支える必要がなくなり作業効率が向上する。
【００１０】
　さらにまた、本考案によれば、ボード本体に設けた穴にリングを通し、ベルトの一端にクリップを取り付け、このクリップをリングに挟んで着脱自在に取り付けるようにしたので、ボード本体の角度が変化してもクリップが外れにくいという利点も有している。
【実施例】
【００１１】
　以下、本考案の一実施例の携帯用ライティングボードについて図面を参照しながら詳述する。
【００１２】
　図１は本考案の携帯用ライティングボード１を示す斜視図で、図２はベルト５を示す斜視図である。
【００１３】
　図１に示す本考案の携帯用ライティングボード１は、画板状の形状を有したボード本体２と、このボード本体２に紙３等をクリップ止めするクリップ４を有し、また、ボード本体２の一辺にベルト５で作った輪を通し掛けにし、この輪付きのベルト５の一端を画板ボード本体２の対向する他方の辺に着脱自在に取り付け可能にするクリップ６を有している。更に、前記ベルト５には、その長さを調節するための調節具７が設けられている。
【００１４】
　この調節具７は、図２（ａ）に示すように３つの窓を有した止め具８の１番目の窓８ａにベルト５を通し、その通したベルト５を２番目の窓８ｂに通し、更に、その通した輪付きベルト５を３番目の窓８ｃに通して、図２（ｂ）に示すように２番目の窓８ｂと３番目の窓８ｃに通したベルト５の裏面のマジックテープ同士を貼り合わせている。
【００１５】
　このようにマジックテープ同士を貼り合わせることで、ベルト５の長さ調節が可能になるだけでなく、所定位置に、より強固に固定させることができるため、図３に示すように、手で支持になくても、ボード本体２を安定に支持することができ、また、ボード本体２の角度調整も容易であり、スケッチや文字を効率的に描くことができる。
【００１６】
　また、スケッチ等の終了後には、調節具７の位置合わせ位置を調節して、図４に示すようにベルト５を一方の肩にかけて持ち運びできるため、携帯に便利である。このとき、図２（ｂ）に示すように２番目の窓８ｂと３番目の窓８ｃに通したベルト５の裏面のマジックテープ同士を貼り合わせているため、ベルト５の先端の折り返し部分が風になびいて絵を描くときや持ち運び時に邪魔になるといったこともない。
【００１７】
　また、輪付きのベルト５の一端をボード本体２の他方の辺に着脱自在に取り付け可能にする前記クリップ６は、ボード本体２に設けた穴に通した２つのリング９に取り付けられた止め具１０に着脱自在に取り付けられる。このリング９を設けたので、ボード本体２の角度が変化した時でもクリップ６にかかる力が分散され、クリップ６がボード本体２から外れにくいという利点がある。
【００１８】
　尚、止め具１０を介さずに直接リング９にクリップ止めするものであっても、同様に直接ボード本体２にクリップ止めするものであっても構わない。
【００１９】
　そして、このクリップ６が取り付けられたベルト５先端側にも、ベルト長さを調節するための調節具１１が設けられている。この調節具１１自体の構成は、上述した図２に示したのものと同じものである。
【図面の簡単な説明】
【００２０】
【図１】本考案の携帯用ライティングボードを示す斜視図である。
【図２】本考案の携帯用ライティングボードの輪付けベルトを示す斜視図である。
【図３】本考案の携帯用ライティングボードの使用例を示す図である。
【図４】本考案の携帯用ライティングボードの携帯時の使用例を示す図である。
【符号の説明】
【００２１】
１　　携帯用ライティングボード
２　　ボード本体
５　　輪付けベルト
７　　調節具
【図１】
0003099542.tif 000003
【図２】
0003099542.tif 000004
【図３】
0003099542.tif 000005
【図４】
0003099542.tif 000006
(57)【要約】
【課題】本考案はお玉の半球内側に凹凸を設け、調理する際の攪拌作業の負担を軽減する。
【解決手段】本考案はお玉本体１に凹凸２を設け、液体に固体を溶かし攪拌する作業を可能にし、従来の穴のあいたお玉を使用する手間を省き、調理の作業、速度、スペースを軽減、縮小する事に役立つ。
【選択図】図１
0003099518.tif 000002
【実用新案登録請求の範囲】
【請求項１】
お玉内側に、凹凸をつける事により固形物を液体に攪拌しやすくするところを特徴とする攪拌凹凸付きお玉
【考案の詳細な説明】
【考案の詳細な説明】
【考案に属する技術分野】
【０００１】本考案は、攪拌用凹凸を設けた、お玉に関するものである。
【背景技術】
【０００２】従来は、固形物を液体に溶かし攪拌する際は内側に穴の数箇所あいている形状のお玉を使用していた。
【考案が解決しようとする課題】
【０００３】通常のお玉とは別に、穴のあいた形状のお玉を使用する事によりキッチンのスペースが必要であり、また調理における作業的、時間的負担である。
従って、通常のお玉に攪拌用凹凸を付け、二つの機能を一体化する事により、先述の負担を解決しようとするものである。
【課題を解決する為の手段】
【０００４】本考案は、お玉内側に固形物を攪拌させるのに適した凹凸を設け、そのお玉内の凹凸側に固形物を押し当てながら攪拌する事により、従来の穴のあいた形状のお玉を使用した場合と同等の機能を持ち、通常のお玉と穴のあいた形状のお玉二つの役割を一体化することにより、使用するキッチンのスペース、作業的負担、時間的負担の問題点を解決している
【考案を実施するための最良の形態】
【０００５】お玉の半球体の内側に、半球体と同素材を用い棒状の突起物を複数並べた波板状の凹凸を設ける。その波板状の凹凸により固形物を液体に溶かし、攪拌が可能となる。また、お玉の使用、洗浄も容易となるように。棒状の突起物の並びを一定の向きにする。
【考案の効果】
【０００６】上述の様に、本考案の攪拌用凹凸付きお玉は、従来のお玉としての使用は勿論、通常なら穴のあいたお玉を使用する場合のような、固形物を液体に溶かす時の凹凸を半球体の内側に施す事により、２つの道具を使わないで済む為に作業の軽減と使用するスペース・時間を縮小として役立つ。
【図面の簡単な説明】
【０００７】
【図１】本考案の攪拌用凹凸付きお玉の一実施例を示す正面図である。
【図２】本お玉の凹凸部分の断面図である。
【符号の説明】
【０００８】１：お玉本体
２：半球内側の凹凸
【図１】
0003099518.tif 000003
【図２】
0003099518.tif 000004
(57)【要約】【課題】通常は目立たないが、装飾を目にしたときに履物に豪華な印象を与え、ファッション性の質の高さを認識させることができ、しかも長期的に錆も生じなく、装飾性を持続することができる。【解決手段】履物底と履物の着用部外周端との境界にメッキを施さない金属線を固着してなる構成としている。又、金属線が細長いアルミニウム又はステンレスの金属材料である構成としている。【選択図】　　図１
0003099521.tif 000002
【実用新案登録請求の範囲】
【請求項１】
履物底と履物の着用部外周端との境界にメッキを施さない金属線を固着してなることを特徴とする履物。
【請求項２】
上記金属線が細長いアルミニウム又はステンレスの金属材料である請求項１記載の履物。
【考案の詳細な説明】
【０００１】
【考案の属する技術分野】
本考案は、装飾を施した履物に関するものである。
【０００２】
【従来の技術】
従来より、履物やや鞄等の小物類は、個性をアピールし、着用者のファッションセンスを高めるために重要な役割を果たしており、装飾を施された小物類を使用することにより多大な効果が得られている。履物にファッション性を持たせる場合、履物の形状を変えるほかにも、履物本体の着用部の表皮の素材を変えたり、紐、ボタン、ビーズ類などの装飾品を用いたりしていた。
【０００３】
しかし、装飾品を用いる場合、周囲にアピールするために履物の着用部表面の目立ちやすいところに装飾を施すことが多く、履物の装飾が目立ちすぎ、個性が強調されすぎると好まれない場合もあった。また、ボタン、ビーズ類を用いる場合には、履物の着用部表面に接着剤等で直に接着させることが多く、履物底や踵部の素材に合わせて接着方法を変化させたり、接着させる際の接着方法に技術を要したりするなど、製造工程が煩雑であった。
【０００４】
それ故、履物底と履物の着用部外周端との境界にメッキを施した鉄、銅、亜鉛等の金属材料からなる金属線を折り曲げて、接着剤にて張り付けてこの金属線を装飾品としてなる履物が考案されてきた。
【０００５】
【考案が解決しようとする課題】
ところが、この種の履物では、メッキ処理された鉄、銅、亜鉛等の金属材料からなる金属線のメッキ表面が傷つきやすく、剥離して装飾品として見づらくなり、又、柔らかい履物の着用部の変形に伴って、この金属線が曲がったり、折れたりして非常に見苦しい装飾品の履物となってしまうという問題点があった。
【０００６】
そこで、本考案は、このような従来の履物が有していた課題を解決したものであって、ファッション性の高い装飾を施し、しかも長期的に装飾性を持続することができることを目的とした履物を提供するにある。
【０００７】
【課題を解決するための手段】
上記目的を達成するために、本考案の履物は、履物底と履物の着用部外周端との境界にメッキを施さない金属線を固着してなる構成としている。又、金属線が細長いアルミニウム又はステンレスの金属材料である構成としている。
【０００８】
これにより、本考案の履物は、通常は目立たないが、装飾を目にしたときに履物に豪華な印象を与え、ファッション性の質の高さを認識させることができ、しかも長期的に装飾性を持続することができる。
【０００９】
【考案の実施の形態】
次に、本考案を図に基き説明する。
図中、図１は本考案実施例の短靴の斜視図、図２は本考案実施例の装飾前を示す
斜視図である。
【００１０】
履物１は、図１、図２に示すように、履物底２と、この履物底上面のつま先部、甲部等を包括した着用部３と、踵部４とを備えている。この履物１は、図１に示すように、履物底２と着用部３外周端との境界５に装飾品となる金属線６を接着剤にて固着している。
【００１１】
この履物１の履物底２や着用部３の素材は、特に限定されるものでなく、一般に使用されている素材である。この履物１は、婦人用、子供用、紳士用と大小様々で特に限定されるものではなく、又、ロングブーツ、半長ブーツ、短靴、サンダル靴等であっても良い。
【００１２】
装飾品となる金属線６は、メッキ処理を施さなくても錆を生じないアルミニウム又はステンレス材料にて縦断面円形状に細長く押し出し成形されており、図２に示すように、履物底と着用部外周端とに沿ったＶ字状に形成されている。
【００１３】
この金属線６は、縦断面円形状としているが、縦断面を四角形、三角形、又は星形であっても何ら支障をきたすものではない。この金属線の太さは、特に限定するものではなく、履物底と着用部外周端に合致し、ファッション性に優れた大きさであればよい。
【００１４】
この金属線６は、アルミニウム又はステンレス材料により、シルバーの色彩を有し、細長い金属線によりファッション性の質の高さと、光を受けて着用部の周りが輝き豪華な印象を与える。
【００１５】
このＶ字状に形成された金属線６を履物底２と着用部３外周端との境界５に沿って接着剤にて接着すればよいので、簡単な製造工程にて行うことができる。又、その接着剤は、金属線がスムーズに接着すればよく、特に限定するものではない。
【００１６】
【考案の効果】
以上のように、本考案の履物は、履物底と履物の着用部外周端との境界にメッキを施さない金属線を固着してなる構成とし、又、金属線が細長いアルミニウム又はステンレスの金属材料である構成としているので、通常は目立たないが、装飾を目にしたときに履物に豪華な印象を与え、ファッション性の質の高さを認識させることができ、しかも長期的に錆も生じなく、装飾性を持続することができる。
【図面の簡単な説明】
【図１】本考案実施例１の短靴の斜視図。
【図２】本考案実施例１の装飾前を示す斜視図。
【図３】本考案実施例１の装飾前の短靴の斜視図。
【図４】本考案実施例１の短靴の平面図。
【図５】本考案実施例２の短靴の斜視図。
【図６】本考案実施例２の装飾前の金属線を示す斜視図。
【図７】本考案実施例２の装飾前の短靴の斜視図。
【図８】本考案実施例２の短靴の平面図。
【符号の説明】
１　履物
２　履物底
３　着用部
４　踵部
５　境界
６　金属線
【図１】
0003099521.tif 000003
【図２】
0003099521.tif 000004
【図３】
0003099521.tif 000005
【図４】
0003099521.tif 000006
【図５】
0003099521.tif 000007
【図６】
0003099521.tif 000008
【図７】
0003099521.tif 000009
【図８】
0003099521.tif 000010
(57)【要約】　　　（修正有）【課題】シンプルで手軽に扱え、初心者からベテラン迄簡単に餌を生餌のように擬態させて魚釣りを楽しめ、魚の捕食を的確に捉え、根がかりを防ぐ自立型の浮遊天秤を提供する。【解決手段】水中に浮遊させ天秤で円形型の浮の中心を軸とし、浮の軸の上方から斜め約１２０度下方向に、中空パイプ４を通して固定し、浮の軸の下方に太目の張りのある紐をつけ先端に錘１を付け、パイプの上部から斜め下方のパイプの出口まで釣竿から釣糸１０を通しその釣糸の先端に釣糸が引き戻らない様パイプの径より大きめの止め具を付け、その先に餌をつけた釣針９が水底に丁度届く長さの釣りの仕掛けを連結すると潮の流れなどにより浮が浮遊し、その結果常に餌が動いている状態となつて魚の喰い気を誘い、魚が餌を捕食するとその感触がパイプを通して直接竿先に伝わり魚信を確認でき、仕掛けや浮の部分が水底に横たわらないので根がかりを防ぐ多機能天秤浮。【選択図】図1
0003099558.tif 000002
【実用新案登録請求の範囲】
【請求項１】
魚釣りで、水中に浮遊させる天秤で円形型の浮の中心を軸として、浮の軸の上方から斜め約１２０度程度下方向に、中空のパイプを通して固定し、浮の軸の下方に太目の張りのある紐をつけその先端に錘を付け、パイプの上部から斜め下方のパイプの出口まで釣り竿からの釣糸を通しその釣糸の先端に釣糸が引き戻らないようにパイプの径より太い大きさの止め具を付け、さらにその先に餌をつけた釣針が水底に丁度届く長さの釣りの仕掛けを連結すると潮の流れなどにより浮が浮遊し、その結果常に餌が動いている状態となつて魚の喰い気を誘い、さらに魚が餌を捕食するとその感触がパイプを通して直接竿先に伝わり魚信を確認でき、仕掛けや浮の部分が水底に横たわらないので根がかりを防ぐ多機能な天秤浮。
【請求項２】
軸の下方と円球と浮の外側に紐、棒、サルカン等を取り付ける接続部を装備する請求項１の浮。
【考案の詳細な説明】
【技術分野】
【０００１】
　本考案は魚釣りに使用する天秤のかたちとその使用方法に関する。
【背景技術】
【０００２】
　魚を積極的に釣るためには、竿先を動かしたり引いたりして餌を動かしたり生餌のように擬態して誘う方法があった。また、他の例ではフロート部とコマセ籠、錘を一体にし、更に仕掛け取付けのためのアームを固定し、本体上部から軸を通してその先端を海底に着地自立させるものがある。
【特許文献１】特開平１１−１９６７３８号公報
【考案の開示】
【考案が解決しようとする課題】
【０００３】
　しかしながら、微妙に竿先を動かす方法は初心者や子供には難しく、また他の例では多機能を追求するがあまり、本体が大きく重すぎて軽快に浮遊する状態には成り得ず、また大きな重い本体に固定したバネのようなアームの先端に釣りの仕掛けを付けても小型の魚が餌を捕食する魚信を明確には捉え難い。
　そこでこの考案はシンプルで手軽に取り扱え、初心者からベテラン迄誰でも簡単に餌を生餌のように擬態させて魚釣りを楽しめ且つ魚の捕食を的確に捉え、根がかりを防ぐ自立型の浮遊天秤を提供する。
【課題を解決するための手段】
【０００４】
　以上の課題を解決するために、請求項１の考案は、水中に浮遊させる天秤で円形型の浮の中心を軸として、浮の軸の上方から斜め約１２０度程度下方向に、中空のパイプを通して固定し、浮の軸の下方に太目の張りのある紐をつけその先端に錘を付け、パイプの上部から斜め下方のパイプの出口まで釣竿からの釣糸を通しその釣糸の先端に釣糸が引き戻らないようにパイプの径より大きめの止め具を付け、さらにその先に餌をつけた釣針が水底に丁度届く長さの釣りの仕掛けを連結すると潮の流れなどにより浮が浮遊し、その結果常に餌が動いている状態となつて魚の喰い気を誘い、さらに魚が餌を捕食するとその感触がパイプを通して直接竿先に伝わり魚信を確認でき、仕掛けや浮の部分が水底に横たわらないので根がかりを防ぐ多機能な天秤浮。
　また、第二考案は浮天秤から水底までの様々な長さや素材の紐や棒を簡単に取換え取付けられるようにするもの。
【考案の効果】
【０００５】
　第一考案または第二考案によれば水底または水底付近の魚を喰い気を誘って積極的に餌を捕食させる効果があり、また釣糸を中空のパイプに通すので、魚が捕食した特の感触を直接竿先に伝達でき、また水底には錘部分だけが着地するので根がかりを防いでうき天秤を回収できる。
【考案を実施するための最良の形態】
【０００６】
　この実施形態を図１に示す。
　円球型の浮（3）の中心を軸として、その軸の上方（11）から中空のパイプ（4）を約１２０度程斜め下方方向に通す。浮の軸の下方（12）に太目の張りのある紐（2）を取付けてその先端に錘（1）を付ける。パイプの上部（11）からパイプの出口（8）まで釣糸（10）を通し、その先に釣糸が釣竿方向に引き戻らないようにパイプの径より大き目の止め具（5）を取付ける。その止め具の先に餌を付けた釣針（9）が丁度水底に届く長さの仕掛け（6）を連結する。その仕掛け（6）の長さの中程にシモリ浮（7）を付ける。
【実施例１】
【０００７】
　この実施形態によれば、浮の下方（12）に取付けた紐（6）の先端の錘（1）が重心となりうき天秤（3）が水中に浮遊する。潮の流れによってうき天秤（3）と仕掛け（6）のシモリ浮（7）が揺れて餌を生餌のように擬態させ、魚の喰い気を誘い捕食させる。また釣糸（10）を中空のパイプ（4）に通すので、魚が捕食した特の感触を直接竿先に伝達でき、また水底には錘（1）部分だけが着地するので根がかりを防いでうき天秤（3）を容易に回収できる。また太目の張りのある紐（2）と仕掛けのシモリ浮（7）は絡みを防ぐ効果がある。
【実施例２】
【０００８】
図１の実施形態で浮の軸の下方の外側（12）に、紐・サルカン等を取付ける接続部を装備することにより、様々な長さや素材の紐や棒を簡単に取付けることができる。表面をビニール系のもので皮膜した紐などは絡みを防ぐ効果が大きい。
【図面の簡単な説明】
【０００９】
【図１】うき天秤が水底に着地した錘を重心にして水中に浮遊している状態で、潮の流れなどにより餌の付いた釣針は水底スレスレに揺れる。
【符号の説明】
【００１０】
１．錘。
２．うき天秤と錘を連結する紐。
３．うき天秤。
４．中空パイプ
５．釣糸をパイプから竿方向に引き戻されない為の締め具。
６．仕掛け。
７．シモリ浮。
８．パイプの出口
９．釣針
１０．釣り糸（道糸）。
１１．パイプの入り口。
１２．紐の取付接点
【図１】
0003099558.tif 000003
(57)【要約】【課題】コストを抑制し、生産効率を向上することができるセラミック素子を研磨する支承構造を提供する。【解決手段】複数の支承台座と、一つ、或いは一つ以上の動輸と、からなるセラミック素子を研磨する支承構造であって、支承台座は研磨機構の作業台に結合され、且つ、位置決めピンを収容する定位槽を備え、前記位置決めピン間は被研磨物が抵接している。作動時、動輪により帯動し、位置決めピン及び被研磨物が同時に回転し、研磨輪は被研磨物上で研磨を施す。定位槽の断面はＶ字形であるので、大きい接触面により、位置決めピンを定位させ、位置決めピン及び被研磨物は同時に回転し、位置決めピン及び被研磨物間は摩擦が生じない。【選択図】図２
0003099553.tif 000002
【実用新案登録請求の範囲】
【請求項１】
研磨機構に設置された、セラミック素子を研磨する支承構造であつて、
前記研磨機構の作業台上に設置され、位置決めピンを収容する定位槽を備え、低摩擦係数である高硬度の材料からなる複数の支承台座と、
伝導構造に結合され、作動時に、前記位置決めピン及び被研磨物を帯動して、
同時に回転させる複数の動輪と、からなることを特徴とするセラミック素子を研磨する支承構造。
【請求項２】
前記定位槽の断面はＶ字型で、大きい接触面を形成して、前記位置決めピンを支承し、且つ、前記位置決めピン間が前記被研磨物に緊密に抵接するため、前記被研磨物が堅固に定位することを特徴とする請求項１に記載のセラミック素子を研磨する支承構造。
【請求項３】
前記位置決めピンは、前記被研磨物に緊密に抵接し、且つ、同時に回転し、前記位置決めピン及び前記被研磨物は摩擦力を生成しないので、前記位置決めピンの寿命を延命し、且つ、前記被研磨物の再加工コストを減少させることが出来ることを特徴とする請求項１に記載のセラミック素子を研磨する支承構造。
【考案の詳細な説明】
【０００１】
【考案の属する技術分野】
本考案は、セラミック素子を研磨する支承構造に関するものであって、特に、一つ、或いは一つ以上の動輪により、位置決めピン及び被研磨物を駆動して、同時に回転させ、研磨精密度を向上させ、位置決めピン及び被研磨物が、研磨工程において、摩滅するのを防止する。
【０００２】
【従来の技術】
目下、各種工業用のセラミック材はまず、粗雑な素材に加工されてから使用され、図１Ａは、公知のセラミック素子を研磨する支承構造１を示す。被研磨物（セラミック材など）２は、スルーホール３を備え、スルーホール３の末端は、タングステン鋼からなる位置決めピン４により定位される。被研磨物２の上部及び下部は、研磨輪５と動輪６とにそれぞれ直接接触し、動輪６が回転を始める時、被研磨物２が同時に帯動して回転し、研磨輪５が被研磨物２を研磨する。
しかし、研磨完成後、被研磨物２のスルーホール３の終端が損傷を受け、スルーホール３に欠落部７を形成（図１Ｂで示される）するので、研磨の後、毎回、被研磨物２の損傷部分を切除して使用しなければならない。更に、被研磨物２の硬度は、位置決めピン４より高いので、５００個の被研磨物２を研磨する度に、図１Ｃで示されるように、位置決めピン４の末端は損傷を受けて使用できず、位置決めピン４を交換しなければならない。よって、コストの増加、生産効率の低下を招く。
【０００３】
【考案が解決しようとする課題】
公知技術の欠点を改善するため、本考案は、コストを抑制し、生産効率を向上することができるセラミック素子を研磨する支承構造を提供することを目的とする。
【０００４】
【課題を解決するための手段】
本考案の支承構造は、位置決めピンを堅固に支承するための大きい定位領域を提供するＶ字型定位槽を有する複数の支承台座を備える。
本考案は、位置決めピンと被研磨物を同時に回転させて、位置決めピンと被研磨物間を緊密に接触させ、摩擦の生成を防ぎ、位置決めピンの消耗と被研磨物の再加エコストを減少させる。
【０００５】
【考案の実施の形態】
上述した本考案の目的、特徴、及び長所をいっそう明瞭にするため、以下に本発明の好ましい実施の形態を挙げ、図を参照にしながらさらに詳しく説明する。
図２〜図４は、本考案のセラミック素子を研磨する支承構造１０である。支承構造１０は、研磨機の作業台（図示しない）上に固定された二つの支承台座２０と、回転装置（図示しない）に接続された回転機構３０と、からなる。
【０００６】
支承台座２０は、被研磨物４０の二端近くにそれぞれ配置され、各支承台座２０はＶ字型の定位槽２１を備え、大きい接触面積を形成して、位置決めピン４１を支承及び固定するのに用いられる。位置決めピン４１の一端は、尖鋭部４２を形成しており、被研磨物４０の一端に挿入することが出来、もう一端は、施圧装置（図示しない）に接続されて、施圧装置は位置決めピンを前方に押し、被研磨物４０を堅固に固定する。
【０００７】
回転機構３０は、回転軸３１と、一つの第一動輪３２、二つの第二動輪３３と、からなり、中間の第一動輪３２は、被研磨物４０の上方に位置するので、第一動輪３２が回転する時、被研磨物４０を帯動して回転させる。両側の第二動輪３３は、位置決めピン４１の上方に位置し、第二動輪３３が回転する時、位置決めピン４１を帯動して回転させる。
【０００８】
被研磨物４０の底部は、研磨輪４３と直接接触し、研磨輪４３と伝導構造が結合し、回転機構３０が回転する時、被研磨物４０及び位置決めピン４１は同時に回転し、研磨輪４３は、被研磨物４０を研磨する。
回転機構３０が回転する時、被研磨物４０及び位置決めピン４１が同時に回転するので、これにより、位置決めピン４１の寿命は延命出来、摩擦力がなく、研磨も好ましい状態で行われて、研磨精度を向上し、公知技術の問題点を改善することが出来る。
【０００９】
本考案では好ましい実施例を前述の通り開示したが、これらは決して考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【００１０】
【考案の効果】コストを抑制し、生産効率を向上する。
【図面の簡単な説明】
【図１Ａ】公知のセラミック素子を研磨する支承構造を示す断面図である。
【図１Ｂ】公知のセラミック素子を研磨する支承構造を示す断面図である。
【図１Ｃ】公知のセラミック素子を研磨する支承構造を示す断面図である。
【図２】本考案による、セラミック素子を研磨する支承構造を示す立体図である。
【図３】本考案による、支承台座の立体図である。
【図４】本考案による、支承台座の縦方向の断面図である。
【符号の説明】
２０　支承台座
２１　定位槽
３０　回転機構
３１　回転軸
３２，３３　動輪
４０　被研磨物
４１　位置決めピン
４２　尖鋭部
４３　研磨輪
【図１Ａ】
0003099553.tif 000003
【図１Ｂ】
0003099553.tif 000004
【図１Ｃ】
0003099553.tif 000005
【図２】
0003099553.tif 000006
【図３】
0003099553.tif 000007
【図４】
0003099553.tif 000008
(57)【要約】　　　（修正有）【課題】老若男女、初心者からベテラン迄、誰にでも簡単に魚釣の魚が餌を捕食した状態を視覚的に明確に確認できる浮を提供する。【解決手段】円球型の浮の中心を軸とし、その軸の両端の一方に円球の外軸方向に棒状の錘１を付け、錘を付けた軸の正反対方向の軸と円球の外側に紐５を取り付け、そ紐を釣糸８に連結し、円球型の浮を水に浮かべた場合、錘の付いた方が水中に没するのでその状態の浮の表面を上部の半球と下部の半球をそれぞれ異なる色に塗り分け、魚が捕食した場合釣糸が下方に引かれるので浮が反転し、浮の半球の色が視覚的に変化、更に棒状の錘部が水面に現れるので、視覚的に魚の捕食を確認できる。【選択図】図1
0003099559.tif 000002
【実用新案登録請求の範囲】
【請求項１】
　水面に浮かべる魚釣り浮で、円球型の浮の中心を軸とし、その軸の両端の一方に円球の外軸方向に棒状の錘を付け、錘を付けた軸の正反対方向の軸と円球の外側に紐を取付け、その紐を釣糸に連結し、円球型の浮を水に浮かべた場合、錘の付いた方が水中に没するのでその状態の浮の表面を上部の半球と下部の半球をそれぞれ異なる色に塗り分け、魚が捕食した場合釣糸が下方に引かれるので浮が反転し、浮の半球の色が視覚的に変化、更に棒状の錘部が水面に現れるので、視覚的に魚の捕食を確認できる浮。
【請求項２】
　円球型の浮に取付ける棒状の錘を、浮本体と異なる色に塗り分け、魚が捕食し釣糸が下方に引かれて浮が反転し、棒状の浮きが水面に現れて、視覚的に魚の捕食を確認できる請求項１または２記載の浮。
【考案の詳細な説明】
【技術分野】
【０００１】
　本考案は魚釣りに使用する浮の形状とその使用方法に関する
【背景技術】
【０００２】
　従来の魚釣りに使用される浮は、魚が餌を捕食した状態所謂「あたり」を捉えるには、浮の微妙な動きや水中に引き込まれる状態をキャッチするものであった。他に浮に釣糸を挿通し、直接仕掛けを連結し、魚の捕食により釣糸が下方に引かれて浮が回転するものもある。
【特許文献１】特開平０９−２７５８６６号公報
【考案の開示】
【考案が解決しようとする課題】
【０００３】
　しかしながら、以上によれば初めて魚釣りをする人や子供には、この魚が餌を捕食した状態を見分けるのが難しかった。また、例えば特開平０９−２７５８６６号は、浮本体に釣糸を挿通（取付け）するので、釣糸や仕掛け全体の重さ、餌の重さ等の負荷が、直接浮にかかって浮が寝てしまう。またこの負荷を相殺してなお浮の釣糸挿通（取付け）部を常に鉛直上方に維持する為には、相応の重さの錘をつけねばならないが、錘が重すぎると、釣糸が水中に引かれても浮は回転せず、錘が下方に位置した状態の侭水没する。
　そこで、本考案は海・川・湖・沼などの様々なフイ−ルドでしかも水面付近から水底までの多様なタナに合せられ、釣りの対象は小魚から大きな魚まで且つシンプルで使用方法・取り外し交換が簡単で老若男女、初心者からベテラン迄、誰でも簡単に魚が捕食した状態を視覚的に捉えられる浮を提供することを課題とする。
【課題を解決するための手段】
【０００４】
　以上の課題を解決するために、請求項１の考案は、円球型の浮の中心を軸とし、その軸の両端の一方に円球の外方向に棒状の錘を付け、錘を付けた軸の正反対方向の軸と円球の外側に紐を取付け、その紐を釣糸に連結し、円球型の浮を水に浮かべた場合、錘のついた方が水中に没するので、その状態の浮の上部の半球と下部の半球をそれぞれ異なる色に塗り分け、魚が捕食した場合釣糸が下方に引かれるので浮が反転し、浮の半球の色が変化、更に棒状の錘部が水面に現れるので、視覚的に魚の捕食を確認できる。
　　また、請求項２の考案は円球型の浮に取付ける棒状の錘を、浮本体と異なる色に塗り分けることを特徴とする魚釣り浮である。
【考案の効果】
【０００５】
　この考案によれば、魚釣りにおいて、初心者からベテランまで誰でも簡単に魚の捕食を視覚的に明確に確認することができる。
【考案を実施するための最良の形態】
【０００６】
　この考案の一実施形態を、図1に示す。
　１は棒状にした錘で、先端に重心が寄る様にする、また視覚的に捉え易い色を塗る。２は円球型の浮の半球で視覚的に判別し易い色を塗る。３は同じ浮の残りの半球で、２とは視覚的に明確に異なる色を塗る。４は浮を釣糸に連結するための紐を取付ける接点。５は浮を釣糸に連結するための紐。７は紐（５）を釣糸に連結するための器具。６は釣糸（道糸）。８は浮を連結する器具を釣糸に遊動連結するためのゴム管（市販品）。９は仕掛。１０は釣針。（１）は浮き本体の浮力によってその長さ、重さを調節する必要がある。
【０００７】
（１）の錘は重過ぎると、魚が餌を捕食し引いた場合にも（１）が水中に没した状態の侭沈む（反転しない）。
【０００８】
（５）の紐は長過ぎても短か過ぎても、有効に作用しない。紐の太さ・張りによって調節する必要がある。試作品の場合円周の1／３即ち直径の長さがベストであった。
【０００９】
水中に仕掛けを浮遊させて使用する場合は、仕掛けに取付ける餌・水中浮・水中錘などに応じて本浮の大きさ（浮力）を取替えて使用する。
【００１０】
図１の錘（１）は細い棒の先端に錘を装着しても可である。
【００１１】
７および８は浮本体の機能を損なうものでなければ其の形式を問わない。
【００１２】
魚釣りの際に、この発明した浮と竿との間に、この発明した浮から５０ｃｍから１００ｃｍ位の個所に道糸を浮かせる別の浮（しもり浮・円球浮）を１個装着することにより、この発明した浮の作用効果がより充分に発揮し易くなる。
【実施例１】
【００１３】
　この考案によれば，図１の（Ｂ）のように、魚が餌を捕食したとき、⇒の方向に力が働き、浮接点（４）が下方に引かれる結果浮全体が反転し浮部（３）が水中に入り、浮部（２）と錘（１）が水面に現れる。この時浮の色と錘の色と形が変化して視覚的に明確に捉えられるので、魚が捕食した状態が解かる。浮本体に直接仕掛けを装着しないので、餌や仕掛けなどの重さや潮の影響を受け難い。また、水面付近から水底までの多様なタナに合せられる。
【実施例２】
【００１４】
　図2は魚釣仕掛けを水底に着地させる釣り方の場合の使用方法で、浮下が多少長めであっても浮が流れて糸が張った状態を保つので十分対応する。
【図面の簡単な説明】
【００１５】
【図１】（Ａ）は浮を釣糸に装着し水中に投下し魚の捕食を待つ状態（Ｂ）は魚が餌を捕食した結果⇒の方向に力が働き、浮が反転した状態。
【図２】（１１）は魚釣仕掛けを水底に着地させて釣る場合の錘。
【符号の説明】
【００１６】
１．錘。
２．円球型浮の半球で色分けするために区別。
３．円球型浮の半球で色分けするために区別。
４．浮を釣糸に連結する紐を取付ける浮の接点。
５．浮を釣糸に連結する紐。
６．紐（5）を釣糸に連結するための器具。
７．器具（6）を釣糸に遊動連結するためのゴム管。
８．釣糸（道糸）。
９．仕掛け糸。
１０．釣針。
１１．仕掛けを水底に着地させるための錘。
【図１】
0003099559.tif 000003
【図２】
0003099559.tif 000004